(57)【要約】【課題】短時間に選局サーチを完了してデジタル放送の受信チャンネルを把握できるチューナを提供する。【解決手段】チューナ２２には、チューナ入力端子１２２ａからチューナ出力端子１２２ｂに向かって順に、デジタル放送の受信信号が入力されるＡＧＣ増幅器２７、混合器２９、受信チャンネルより狭い帯域としたフィルタ３１、ＡＧＣ増幅器３２、受信チャンネルより狭い帯域とするとともにデジタル信号の略中心周波数を通過させるフィルタ３１ａ、混合器２９の出力信号が入力されるとともにＡＧＣ増幅器２７を利得制御する利得制御器３０、ＡＧＣ増幅器３１ａの出力信号が供給されるとともにＡＧＣ増幅器３２を利得制御する利得制御器３６と、利得制御器３６から出力されるＡＧＣ電圧を予め定められた基準電圧と比較した判定信号が出力されるＡＧＣ電圧判定器５５とが設けられ、このＡＧＣ電圧判定器５５からの判定信号によりデジタル信号か否かを判定する。【選択図】図１
2007158493.tif 000002
【特許請求の範囲】
【請求項１】
デジタル放送信号を含む高周波信号が入力されるチューナ入力端子と、このチューナ入力端子に入力された前記高周波信号が一方の入力に供給されるとともに他方の入力に第１の発振器の発振信号が供給される第１の混合器と、この第１の混合器からの出力信号が供給される第１のフィルタと、この第１のフィルタからの出力信号が供給される第１のＡＧＣ（自動利得制御）増幅器と、この第１のＡＧＣ増幅器からの出力信号が供給されるチューナ出力端子と、前記第１のＡＧＣ増幅器からの出力信号が供給されるとともに前記第１のＡＧＣ増幅器の利得制御を行う第１の利得制御器とを備え、前記第１のフィルタは前記デジタル放送の受信チャンネルより狭い帯域幅とするとともに前記受信チャンネルの略中心周波数を通過させ、前記第１の利得制御器から出力される第１のＡＧＣ電圧が一方の入力に供給されるとともに他方の入力には第１のＡＧＣ基準電圧が供給される第１のＡＧＣ電圧判定器を設け、この第１のＡＧＣ電圧判定器で前記チューナ入力端子に入力された前記高周波信号がデジタル放送信号か否かを判定して第１のＡＧＣ判定信号を出力するチューナ。
【請求項２】
第１のＡＧＣ電圧判定器には、第１のＡＧＣ電圧を比較するためのＡＧＣ基準電圧を外部から設定できる第１の入力端子が設けられた請求項１に記載のチューナ。
【請求項３】
第１のＡＧＣ増幅器の出力信号が一方の入力に供給されるとともに他方の入力に第２の発振器の発振信号が供給される第２の混合器と、この第２の混合器からの出力信号が供給される第２のフィルタと、この第２のフィルタから出力される信号が供給される第２のＡＧＣ増幅器と、この第２のＡＧＣ増幅器の利得制御を行う第２の利得制御器と、前記第２のＡＧＣ増幅器からの出力信号が供給されるチューナ出力端子とを備え、前記第２のフィルタは、デジタル放送の受信チャンネルより狭い帯域幅とし、第１の利得制御器と前記第２の利得制御器への入力信号は前記第２のＡＧＣ増幅器からの出力信号が供給され、前記第１、第２の利得制御器からそれぞれ出力される第１、第２のＡＧＣ電圧が一方の入力に供給されるとともに他方の入力には予め定められたそれぞれの基準電圧が入力される第２のＡＧＣ電圧判定器を設け、前記第２のＡＧＣ電圧判定器から出力される第２のＡＧＣ判定信号に基づいてデジタル放送信号かアナログ放送信号かを判定する請求項１に記載のチューナ。
【請求項４】
第２のＡＧＣ電圧判定器には、ＡＧＣ基準電圧を外部から設定できる第２の入力端子が設けられた請求項３に記載のチューナ。
【請求項５】
第２の混合器には、Ｉ／Ｑ検波器が用いられた請求項３に記載のチューナ。
【請求項６】
第１の混合器は第３、第４の混合器からなるイメージリジェクションミキサとするとともに第１の利得制御器の入力には第１のＡＧＣ増幅器の出力の代わりに前記第３、第４の混合器のいずれか一方の出力信号を供給する請求項３に記載のチューナ。
【請求項７】
請求項１に記載の第１のＡＧＣ電圧判定器の出力が供給されるとともに発振信号を制御して受信チャンネルの選局サーチを行う選局制御器と、この選局制御器に接続されるとともに前記選局サーチにより得られる受信チャンネル情報を記憶するメモリとを設け、デジタル放送の前記受信チャンネルを前記メモリに記憶させる高周波受信装置。
【請求項８】
請求項１に記載のチューナのチューナ出力端子からの出力信号が供給されるＣ／Ｎ（キャリア対ノイズ）検出器と、このＣ／Ｎ検出器から出力されるＣ／Ｎ検出信号が予め定められたＣ／Ｎ基準値と比較してＣ／Ｎ判定信号を出力するＣ／Ｎ判定器と、このＣ／Ｎ判定器からの判定信号と第１のＡＧＣ電圧判定器からの第１のＡＧＣ判定信号とが供給されるとともに受信チャンネルの選局サーチを行う選局制御器と、この選局制御器に接続されるとともに前記選局サーチにより得られる受信チャンネル情報を記憶するメモリとを設け、デジタル放送の前記受信チャンネルを前記メモリに記憶する高周波受信装置。
【請求項９】
請求項１に記載のチューナのチューナ出力端子からの出力信号が供給されるＢＥＲ（誤り訂正率）検出器と、このＢＥＲ検出器から出力されるＢＥＲ検出信号が予め定められたＢＥＲ基準値と比較してＢＥＲ判定信号を出力するＢＥＲ判定器と、このＢＥＲ判定器からのＢＥＲ判定信号と第１のＡＧＣ電圧判定器からの第１のＡＧＣ判定信号とが供給されるとともに受信チャンネルの選局サーチを行う選局制御器と、この選局制御器に接続されるとともに前記選局サーチにより得られる受信チャンネル情報を記憶するメモリとを設け、デジタル放送の前記受信チャンネルを前記メモリに記憶させる高周波受信装置。
【請求項１０】
請求項１に記載のチューナのチューナ出力端子からの出力信号が供給されるＡ／Ｄコンバータと、このＡ／Ｄコンバータからの出力信号が供給されるとともに１セグメントあるいは３セグメントの信号のみを通過させるデジタルフィルタと、このデジタルフィルタからの出力信号が供給される復調器と、この復調器からのデジタル復調信号が出力される出力端子とを設け、第１の利得制御器の入力には第１のＡＧＣ増幅器からの出力信号の代わりに前記デジタルフィルタからの出力信号が供給された高周波受信装置。
【発明の詳細な説明】
【技術分野】
【０００１】
本発明は、選局サーチ動作において、デジタル放送の受信チャンネルを把握するチューナとこれを用いた高周波受信装置に関するものである。
【背景技術】
【０００２】
以下、従来の高周波受信装置について説明する。図８に示すように、従来の高周波受信装置１は、チューナ２と、このチューナ２の出力に接続された復調部３と、チューナ２と復調部３を制御する選局制御部４で構成され、デジタル放送の受信チャンネルを選局サーチしていた。
【０００３】
チューナ２は、このチューナ２に設けられたチューナ入力端子２ａからチューナ出力端子２ｂに向かって順に設けられたＡＧＣ増幅器５と、混合器６と、フィルタ７と、ＡＧＣ増幅器８と、フレーム９とから構成されていた。
【０００４】
また、ＡＧＣ増幅器５は、混合器６からの出力信号が入力される利得制御器１０により利得制御されている。ＡＧＣ増幅器８は、フィルタ９からの出力信号が入力される利得制御器１１により利得制御されている。
【０００５】
このように構成されたチューナ２では、アンテナ４ａで受信したデジタル信号が、チューナ入力端子２ａを介して入力され、混合器６により選局されるとともに周波数変換され、ＡＧＣ増幅器５、８により、チューナ出力端子２ｂからの出力信号レベルが一定レベルになるように利得制御される。
【０００６】
このチューナ出力端子２ｂから出力されたデジタル信号は、復調部３に入力されて、復調された信号が出力端子３ａから出力される。この復調部３に設けられたＢＥＲ（誤り訂正率）検出器１２から出力されたＢＥＲ信号は、選局制御部４の選局制御器１４に入力されている。この選局制御器１４には、選局時に操作するキーボード１５と、選局サーチ時におけるチャンネル毎の受信品質情報を記憶させるメモリ１６が設けられている。
【０００７】
このように構成された高周波受信装置１において、選局制御器１４により選局サーチの動作が行われるとともに、ＢＥＲ検出器１２からのＢＥＲ信号によりデジタル放送の受信チャンネルが把握される。そして、この受信チャンネルがメモリ１６に順次記憶されるのであった。
【０００８】
なお、この出願の発明に関連する先行技術文献情報としては、例えば、特許文献１が知られている。
【特許文献１】特開２００３−３３３４４１号公報
【発明の開示】
【発明が解決しようとする課題】
【０００９】
しかしながら、従来の高周波受信装置１では、選局サーチ動作において、デジタル放送のチャンネル毎の受信状態をＢＥＲ検出器１２により検出していた。
【００１０】
特に、近年導入されたデジタル放送信号とアナログ放送信号とが混在しており、選局の度にそのＢＥＲを計算しなければならず、判定に時間がかかるという問題があった。
【００１１】
そこで、本発明は、この問題を解決したもので、短時間において選局サーチを完了してデジタル放送の受信チャンネル情報を得ることができる高周波受信装置を提供することを目的としたものである。
【課題を解決するための手段】
【００１２】
この目的を達成するために本発明は、第１のフィルタはデジタル放送の受信チャンネルより狭い帯域幅とするとともに前記受信チャンネルの略中心周波数を通過させ、第１の利得制御器から出力される第１のＡＧＣ電圧が一方の入力に供給されるとともに他方の入力には第１のＡＧＣ基準電圧が供給される第１のＡＧＣ電圧判定器を設け、この第１のＡＧＣ電圧判定器でチューナ入力端子に入力された高周波信号がデジタル放送信号か否かを判定して第１のＡＧＣ判定信号を出力するものである。
【００１３】
これにより、短時間に選局サーチを完了してデジタル放送の受信チャンネルを得ることができる。
【発明の効果】
【００１４】
以上のように本発明は、第１のフィルタはデジタル放送の受信チャンネルより狭い帯域幅とするとともに前記受信チャンネルの略中心周波数を通過させ、第１の利得制御器から出力される第１のＡＧＣ電圧が一方の入力に供給されるとともに他方の入力には第１のＡＧＣ基準電圧が供給される第１のＡＧＣ電圧判定器を設け、この第１のＡＧＣ電圧判定器でチューナ入力端子に入力された高周波信号がデジタル放送信号か否かを判定して第１のＡＧＣ判定信号を出力するものである。
【００１５】
これにより、例えアナログ放送信号とデジタル信号が混在していたとしても、ＡＧＣ電圧判定器を用いて、利得制御器からのＡＧＣ電圧と予め定められた基準電圧との電圧比較により、デジタル信号か否かの判定を行うものである。
【００１６】
このように、ＡＧＣ電圧を用いて電圧判定を行うので、短時間に選局サーチを完了できる。従って、デジタル放送の受信可能なチャンネルをメモリに記憶させれば、視聴したいチャンネルを容易に選択することができる。
【発明を実施するための最良の形態】
【００１７】
（実施の形態１）
以下、本実施の形態について、図１を用いて説明する。図１は、本実施の形態におけるデジタル放送の１セグメントを受信する高周波受信装置２１のブロック図である。
【００１８】
この高周波受信装置２１は、チューナ２２と、このチューナ２２の出力が接続された復調部２３と、チューナ２２、復調部２３を制御する選局制御部２４から構成されている。
【００１９】
以下、チューナ２２の構成について説明する。このチューナ２２には、アンテナ２５が接続されたチューナ入力端子２２ａと、チューナ２２の出力信号が供給されるチューナ出力端子２２ｂとが設けられている。
【００２０】
このチューナ入力端子２２ａとチューナ出力端子２２ｂとの間には、チューナ入力端子２２ａから順に以下のものが接続されている。すなわち、妨害信号を抑圧するフィルタ２６と、利得制御入力２７ａにより利得制御の可能なＡＧＣ増幅器２７と、妨害信号を抑圧するフィルタ２８と、このフィルタの出力が一方の入力に接続される混合器２９と、この混合器２９の出力に接続されるとともに希望する１セグメントあるいは３セグメントの信号を通過させるフィルタ３１と、利得制御入力３２ａにより利得制御の可能なＡＧＣ増幅器３２と、希望する１セグメントあるいは３セグメントの信号を通過させるフィルタ３１ａとが設けられている。
【００２１】
また、混合器２９の出力と利得制御入力２７ａの間には、利得制御器３０が接続されている。フィルタ３１ａの出力と利得制御入力３２ａの間には、利得制御器３６が設けられている。
【００２２】
さらに、混合器２９の他方の入力には、発振器３８の出力が接続されている。この発振器３８の同調回路には、ＰＬＬ回路４１から出力される制御電圧が供給され、発振器３８の発振周波数が決定される。
【００２３】
なお、ＰＬＬ回路４１から出力される制御電圧は、フィルタ２６、２８の同調回路に供給（図示せず）することにより、同調周波数を可変することができる。
【００２４】
次に、復調部２３の構成について説明する。この復調部２３には、入力端子２３ａと出力端子２３ｂとが設けられている。この入力端子２３ａと出力端子２３ｂとの間には、入力端子２３ａから順に、アナログ信号をデジタル信号に変換するＡ／Ｄコンバータ４２と、希望する１セグメントあるいは３セグメントの以外の信号を抑圧するデジタルフィルタ４３と、信号を復調する復調器４４と、誤りを訂正する誤り訂正器４５と、誤り訂正器４５の一方の出力には復号器４６が接続されている。
【００２５】
また、誤り訂正器４５の他方の出力は、ＢＥＲ信号を検出するＢＥＲ判定器５４の入力に接続されている。
【００２６】
次に、選局制御部２４の構成について説明する。選局制御部２４は、ＢＥＲ検出器５２から出力されたＢＥＲ信号が予め定められたＢＥＲ基準値と比較されて判定信号が出力されるＢＥＲ判定器５４と、利得制御器３６から出力されるＡＧＣ電圧が入力５５ａに接続されているＡＧＣ電圧判定器５５と、このＡＧＣ電圧判定器５５の出力５５ｃとＢＥＲ判定器５４の出力が入力５６ａ、５６ｂにそれぞれ接続された選局制御器５６と、この選局制御器５６の入力５６ｃに接続されたメモリ５７とから構成されている。なお、ＡＧＣ電圧判定器５５は、チューナ２２に内蔵してもよい。
【００２７】
そして、ＡＧＣ電圧判定器５５の入力５５ｂには、入力端子２４ａが設けられている。この入力端子２４ａは、入力５５ａに入力されたＡＧＣ電圧が比較されるＡＧＣ基準電圧を入力できる。また、選局制御器５６の入力端子５６ｄには、選局命令を入力できるキーボード５９が接続されている。さらに、ＢＥＲ判定器５４の他方の入力には、ＢＥＲ検出器５２からのＢＥＲ信号が比較されるＢＥＲ基準値を入力するための入力端子２４ｂが設けられている。
【００２８】
以上のように構成された高周波受信装置２１の動作について、図１を用いて説明する。最初に、チューナ２２の動作について説明する。アンテナ２５からの受信信号は、チューナ入力端子２２ａを介してフィルタ２６に入力される。このフィルタ２６には、ハイパスフィルタ、ローパスフィルタ、バンドパスフィルタのいずれかを用いて希望するチャンネル信号あるいは希望するチャンネル信号を含むチャンネル信号が選択される。
【００２９】
このフィルタ２６からの出力信号は、ＡＧＣ増幅器２７により増幅された後、フィルタ２８に入力される。このフィルタ２８は、フィルタ２６と同様であり、ハイパスフィルタ、ローパスフィルタ、バンドパスフィルタのいずれかを用いて希望するチャンネルあるいは希望するチャンネル信号を含むチャンネル信号が選択される。
【００３０】
なお、これらフィルタ２６、２８は、例えばバリキャップダイオードを用いて容量値を可変し、受信チャンネルを選択してもよい。
【００３１】
さらに、フィルタ２８の出力信号は、混合器２９の一方の入力に供給される。他方の入力にはＰＬＬ回路４１で制御された発振器３８の出力信号が供給されているので、混合器２９からは周波数変換された第１の中間周波数信号（例えば５７ＭＨｚ）が出力される。
【００３２】
この第１の中間周波数信号は利得制御器３０に入力される。この利得制御器３０から出力されるＡＧＣ電圧によりＡＧＣ増幅器２７は、混合器２９の出力信号レベルが一定値になるように動作する。
【００３３】
さらに、この第１の中間周波数信号は、フィルタ３１に入力される。このフィルタ３１では、例えば、希望チャンネルの１セグメントあるいは３セグメント以外の信号が抑圧される。
【００３４】
なお、フィルタ３１の通過帯域幅を略４ＭＨｚ（図２（ｂ）における中心周波数８１ｄから映像搬送波８１ａまでの周波数の２倍）以上に大きくした場合には、利得制御器３０への入力はフィルタ３１からの出力信号としてもよい。すなわち、フィルタ３１の通過帯域幅を略４ＭＨｚとすることにより、映像搬送波８１ａが減衰しないので、フィルタ３１の出力信号としたＡＧＣ増幅器２７は、映像搬送波８１ａにより利得制御される。つまり、利得制御器３０への入力を混合器２９の出力信号としたＡＧＣ電圧７３と同じ電圧特性となる。
【００３５】
そして、フィルタ３１からの出力信号は、ＡＧＣ増幅器３２に入力される。このＡＧＣ増幅器３２の出力信号レベルは、フィルタ３１ａに入力される。このフィルタ３１ａでは、例えば希望チャンネルの１セグメントあるいは３セグメント以外の信号がさらに抑圧される。このフィルタ３１ａからの出力信号は、利得制御器３６に入力される。この利得制御器３６から出力されるＡＧＣ電圧により、ＡＧＣ増幅器３２は利得制御される。
【００３６】
なお、利得制御器３６への入力は、ＡＧＣ増幅器３２からの出力信号を入力してもよい。この場合は、フィルタ３１によって希望チャンネルの１セグメントあるいは３セグメント以外の信号が抑圧されることになる。
【００３７】
そして、選局制御器５６の出力５６ｅから出力されるＰＬＬ制御データは、ＰＬＬ回路４１に入力されている。このＰＬＬ回路４１から出力される制御電圧により発振器３８の発振周波数が決定される。
【００３８】
以上のように、チューナ入力端子２２ａに入力されたデジタル放送信号は、ＡＧＣ増幅器２７、３２により利得制御が行われるとともに、混合器２９により周波数変換され、フィルタ２６、２８、３１、３１ａにより妨害信号が十分に抑圧される。そして、チューナ出力端子２２ｂからは、希望する１セグメントあるいは３セグメント以外の信号が出力される。
【００３９】
次に、復調部２３の動作について説明する。チューナ出力端子２２ｂからの信号は、Ａ／Ｄコンバータ４２に入力される。このＡ／Ｄコンバータ４２から出力されるデジタル信号は、デジタルフィルタ４３に入力される。このデジタルフィルタ４３により希望する１セグメントあるいは３セグメント以外の不要な信号が十分に抑圧されたのち、復調器４４に入力される。この復調器４４から出力される復調された信号は、データの誤りを訂正する誤り訂正器４５に入力される。この誤り訂正器４５から出力された信号は、データの復号が行われる復号器４６に入力される。この復号器４６から出力されるＴＳ（トランスポートストリーム）信号は、出力端子２３ｂから出力される。
【００４０】
次に、選局制御部２４の動作について説明する。キーボード５９から選局サーチの命令データが選局制御器５６の入力５６ｄに入力される。このキーボード５９からの命令データに基づいて、選局制御器５６の出力５６ｅから選局制御信号が出力される。この選局制御信号が送られたＰＬＬ回路４１により、発振器３８の発振周波数が決定される。これにより、例えば低いチャンネルから高いチャンネルに選局されて、希望する１セグメントあるいは３セグメントが順番に選局されていく。
【００４１】
このように受信チャンネルが選局されると、ＡＧＣ電圧判定器５５では利得制御器３６からのＡＧＣ電圧が予め定められた基準電圧と比較され、デジタル信号か否かの判定が行われる。このＡＧＣ電圧判定器５５では、ＡＧＣ電圧と基準電圧との電圧の比較が行われるので、瞬時の判定が可能となる。そして、このＡＧＣ電圧判定器５５からの判定信号が選局制御器５６に入力されることにより、デジタル放送の受信チャンネルがメモリ５７に書き込まれる。
【００４２】
この選局制御部２４の信号判定の動作について、図２（ａ）、図２（ｂ）、図３（ａ）、図３（ｂ）を用いて以下説明する。
【００４３】
図２（ａ）は、チューナ２２に入力されるデジタル放送信号の図である。６１は、周波数である。６２は、信号の大きさである。６３は、ＵＨＦを用いた１チャンネルのＯＦＤＭ信号を示している。このＯＦＤＭ信号６３は、１３のセグメントから構成されている。この１３のセグメントの中心周波数にある１セグメント６３ａにより簡易動画と音声放送データが送られている。６４は、雑音レベルを表している。
【００４４】
図３（ａ）は、ＡＧＣ増幅器２７、３２のデジタル信号レベルに対するＡＧＣ電圧の図である。図３（ａ）において、７１は、チューナ入力端子２２ａへのデジタル信号レベルである。７２は、ＡＧＣ電圧である。
【００４５】
図３（ａ）において、７３は、ＡＧＣ増幅器２７のデジタル信号レベルに対するＡＧＣ電圧である。
【００４６】
なお、ＡＧＣ増幅器２７の利得制御範囲は、０〜−６０ｄＢｍ（チューナ入力端子２２ａにおける信号レベルとして）とし、ＡＧＣ電圧が大きい場合を利得最大としている。
【００４７】
このＡＧＣ電圧７３は、−６０Ｂｍ（位置７３ａ）の信号レベル以上において変化している。このＡＧＣ電圧７３の電圧変化により、ＡＧＣ増幅器２７の利得制御が行われている。
【００４８】
そして、ＡＧＣ電圧７３は、混合器２９から出力される１３セグメントの信号レベルが利得制御器３０に入力されて作成されている。つまり、利得制御器３０に入力される１３セグメントの信号レベルの大きさに応じてＡＧＣ電圧７３が変化している。
【００４９】
図３（ａ）において、７４は、ＡＧＣ増幅器３２のデジタル信号レベルに対するＡＧＣ電圧である。
【００５０】
なお、ＡＧＣ増幅器３２の利得制御範囲は、−６０ｄＢｍ以下（チューナ入力端子２２ａにおける信号レベルとして）とし、ＡＧＣ電圧が小さい場合を利得最大としている。
【００５１】
このＡＧＣ電圧７４は、−１００ｄＢｍ（位置７４ａ）から−６０Ｂｍ（位置７４ｂ）の信号レベル内において、変化部７４ｃを有している。つまり、変化部７４ｃの範囲内でＡＧＣ増幅器３２の利得制御が行われている。
【００５２】
そして、ＡＧＣ電圧７４は、ＡＧＣ増幅器３５から出力される１セグメントあるいは３セグメントの信号レベルが利得制御器３６に入力されて作成されている。つまり、利得制御器３６に入力される１セグメントあるいは３セグメントの信号レベルの大きさに応じてＡＧＣ電圧７４が変化している。
【００５３】
このようにして、チューナ入力端子２２ａへのデジタル信号レベルの大きさに応じて、ＡＧＣ増幅器３２、２７の順に利得制御の動作が行われる。これにより、特に歪が発生しやすい混合器２９への入力信号レベルと、チューナ出力端子２２ｂからの出力信号レベルとを最適化している。これにより、チューナ２２および復調部２３における歪による妨害特性と雑音特性の両立を実現している。
【００５４】
図２（ｂ）は、チューナ２２に入力されるアナログ放送信号の図である。なお、図２（ｂ）で使用した符号について、図２（ａ）と同じものについては同一の番号を付して説明を簡略化している。
【００５５】
図２（ｂ）において、８１は、ＵＨＦを用いた１チャンネルのアナログ信号の代表例を示している。また、このアナログ信号８１は、映像搬送波８１ａ、音声搬送波８１ｂ、色搬送波８１ｃ、中心周波数８１ｄを有している。これら映像搬送波８１ａ、音声搬送波８１ｂ、色搬送波８１ｃには、それぞれ変調成分が重畳している。
【００５６】
一般的に、アナログ信号では、妨害特性を考慮して映像搬送波８１ａ、音声搬送波８１ｂ、色搬送波８１ｃより大きくしている。この映像搬送波８１ａに対して映像信号により振幅変調を施している。このため、映像信号による振幅変調された中心周波数８１ｄにおける信号レベルは、映像搬送波８１ａの信号レベルより小さいレベルとなる。例えば、映像搬送波８１ａと中心周波数８１ｄにおける信号レベルの差８２を、例えば３５から４０ｄＢとして以下説明する。
【００５７】
図３（ｂ）は、高周波受信装置２１のアナログ信号レベルに対するＡＧＣ増幅器２７、３２のＡＧＣ電圧の図である。なお、図３（ｂ）で使用した符号について、図３（ａ）と同じものについては同一の番号を付して説明を簡略化している。
【００５８】
図３（ｂ）において、８３は、ＡＧＣ増幅器２７のアナログ信号レベルに対するＡＧＣ電圧である。このＡＧＣ電圧８３は、−６０Ｂｍ（位置８３ａ）の信号レベル以上において変化している。このＡＧＣ電圧８３の電圧変化により、ＡＧＣ増幅器２７の利得制御が行われている。
【００５９】
このＡＧＣ電圧８３は、混合器２９から出力されるアナログ信号レベルが利得制御器３０に入力されて作成されている。つまり、利得制御器３０に入力されるアナログ信号の中で最も大きいレベルである映像搬送波８１ａの大きさに応じてＡＧＣ電圧８３が変化する。このデジタル信号とアナログ信号の映像搬送波８１ａのレベルを同じとすれば、ＡＧＣ電圧７３と８３はほぼ同じ特性となる。
【００６０】
８４は、ＡＧＣ増幅器３２のアナログ信号レベルに対するＡＧＣ電圧である。このＡＧＣ電圧８４は、−８０ｄＢｍ（位置８４ａ）から−６０Ｂｍ（位置８４ｂ）の信号レベル内において、変化部８４ｃを有している。つまり、変化部８４ｃの範囲内でＡＧＣ増幅器３２の利得制御が行われている。
【００６１】
このＡＧＣ電圧８４は、フィルタ３１および３１ａから出力されるアナログ信号レベルが利得制御器３６に入力されて作成されている。例えば、１セグメント受信では、フィルタ３１、３１ａの帯域幅は、４２９ｋＨｚ（１セグメントの帯域幅に相当）となる。
【００６２】
これらフィルタ３１、３１ａから出力される信号は、中心周波数８１ｄを中心とした帯域幅４２９ｋＨｚの斜線部８１ｅとなる。この斜線部８１ｅの信号は、映像搬送波８１ａより、レベル差８２で示されるように３５ｄＢから４０ｄＢ小さいレベルとなってしまう。
【００６３】
このため、アナログ信号の場合のＡＧＣ増幅器３２への入力信号レベルは、デジタル信号に比べて、３５ｄＢから４０ｄＢ小さいレベルが供給される。従って、ＡＧＣ電圧８４の変化部８４ｃは、ＡＧＣ電圧７４の変化部７４ｃに比べて、３５ｄＢから４０ｄＢ大きな信号レベルの方に（図３（ｂ）では右側へ）移動することになる。
【００６４】
そして、−６０ｄＢｍ（位置８４ｂ）より大きな信号レベルが入力された場合には、ＡＧＣ増幅器２７のＡＧＣ電圧８３が−６０ｄＢｍ（位置８３ａ）以上となって変化する。このため、ＡＧＣ増幅器３２への入力レベルが大きくならず、ＡＧＣ電圧８４は一定値となる。
【００６５】
このように、−１００ｄＢｍから０ｄＢｍのデジタル信号がチューナ２２に入力された場合には、ＡＧＣ電圧７４は、１．０Ｖ（位置７４ａ）から２．６Ｖ（位置７４ｂ）と大きく変化する。一方、−１００ｄＢｍから０ｄＢｍのアナログ信号がチューナ２２に入力された場合には、ＡＧＣ電圧８４は、０Ｖ（位置８４ａ）から０．７Ｖ（位置８４ｂ）しか変化しない。
【００６６】
このように、利得制御器３６からは、デジタル信号、アナログ信号により異なるＡＧＣ電圧７４、８４が出力される。この異なるＡＧＣ電圧７４、８４が、ＡＧＣ電圧判定器５５に入力される。このＡＧＣ電圧判定器５５では、ＡＧＣ電圧７４，８４が、予め設定された基準電圧９０と比較されて、デジタル信号か否かの判定を行うことができる。
【００６７】
例えば、この基準電圧９０を１Ｖとすれば、いずれの入力信号レベルが入力されたとしてもデジタル信号か否かの判定が可能となる。なお、入力端子２４ａにより基準電圧の設定を任意に設定できるので、ＡＧＣ電圧判定器５５の判定精度を向上できる。
【００６８】
そして、ＡＧＣ電圧判定器５５の出力５５ｃから判定信号が出力されて、選局制御器５６の入力５６ａに入力される。さらに、デジタル放送の受信チャンネルがメモリ５７に書き込まれる。
【００６９】
以上のように、例えアナログ放送信号とデジタル信号が混在していたとしても、ＡＧＣ電圧判定器５５が、利得制御器３６からのＡＧＣ電圧と予め定められた基準電圧との比較判定を行い、デジタル信号か否かの判定を行うものである。
【００７０】
このように、ＡＧＣ電圧を用いて電圧判定を行うので、短時間に選局サーチを完了できる。従って、デジタル放送の受信可能なチャンネルの中から視聴したいチャンネルを容易に選択することができる。
【００７１】
なお、ＡＧＣ電圧判定器５５からの判定信号によりデジタル信号の受信チャンネルが判定できるが、この受信チャンネルについて、さらにＢＥＲ判定器５４からのＢＥＲ信号をＢＥＲ判定器５４によりデジタル信号か否かの検出をしてもよい。これにより、ＡＧＣ電圧判定器５５だけでなく、ＢＥＲ判定器５４を共に用いるので、デジタル信号か否かを判定する信頼性を向上できる。
【００７２】
さらに、ＢＥＲ検出器５２、ＢＥＲ判定器５４の代わりにＣ／Ｎ（キャリア対ノイズ）検出器、Ｃ／Ｎ判定器（共に図示せず）を用いてもよい。このようにＣ／Ｎ信号を用いた場合には、ＢＥＲ信号を用いた場合に比べて、より短時間に選局サーチを完了できる。
【００７３】
また、利得制御器３６への入力は、デジタルフィルタ４３からの出力信号を供給してもよい。この場合には、例えば隣接信号等の妨害信号が、デジタルフィルタ４３により十分に抑圧されるので、妨害信号等による影響がなくなるので、選局サーチの精度が向上する。
【００７４】
さらになお、この高周波受信装置２１を用いれば、アナログ放送信号を検出することが可能となる。すなわち、図２（ａ）（ｂ）のアナログ放送信号とデジタル放送信号の違いにより、図３（ａ）、（ｂ）におけるＡＧＣ電圧７４、８４の差が生じるので、デジタル放送信号の判定と同様にアナログ放送信号の判定が可能となる。
【００７５】
（実施の形態２）
以下、本実施の形態について、図４を用いて説明する。図４は、本実施の形態におけるデジタル放送の１セグメントを受信する高周波受信装置１２１のブロック図である。実施の形態１の高周波受信装置２１では、ひとつの混合器２９と、２つのＡＧＣ増幅器２７、３２とを設けているのに対して、実施の形態２の高周波受信装置１２１では、２つの混合器２９、１３３と、３つのＡＧＣ増幅器２７、１３２、１３５を設けている点で異なる。なお、図４で使用した部品について、図１と同じものについては同一の番号を付して説明を簡略化している。
【００７６】
この高周波受信装置１２１は、チューナ１２２と、このチューナ１２２の出力が接続された復調部２３と、チューナ１２２、復調部２３を制御する選局制御部１２４から構成されている。
【００７７】
以下、チューナ１２２の構成について説明する。このチューナ１２２には、アンテナ２５が接続されたチューナ入力端子１２２ａと、チューナ１２２の出力信号が供給されるチューナ出力端子１２２ｂとが設けられている。
【００７８】
このチューナ入力端子１２２ａとチューナ出力端子１２２ｂとの間には、チューナ入力端子１２２ａから順に以下のものが接続されている。すなわち、妨害信号を抑圧するフィルタ２６と、利得制御入力２７ａにより利得制御の可能なＡＧＣ増幅器２７と、妨害信号を抑圧するフィルタ２８と、このフィルタの出力が一方の入力に接続される混合器２９と、この混合器２９の出力に接続されるとともに希望する１セグメントあるいは３セグメントの信号を通過させるフィルタ１３１と、利得制御入力１３２ａにより利得制御の可能なＡＧＣ増幅器１３２と、一方の入力に供給される混合器１３３と、希望する１セグメントあるいは３セグメントの信号を通過させるフィルタ１３４と、利得制御入力１３５ａにより利得制御の可能なＡＧＣ増幅器１３５とが接続されている。
【００７９】
また、混合器２９の出力と利得制御入力２７ａの間には、利得制御器３０が接続されている。ＡＧＣ増幅器１３５の出力と利得制御入力１３２ａ、１３５ａとの間には、利得制御器１３６、１３７がそれぞれ設けられている。
【００８０】
さらに、混合器２９、１３３の他方の入力には、発振器３８、１３９の出力がそれぞれ接続されている。これら発振器３８、１３９の同調回路には、ＰＬＬ回路１４１からそれぞれ出力される制御電圧がそれぞれ供給され、発振器３８、１３９の発振周波数がそれぞれ決定される。
【００８１】
なお、ＰＬＬ回路１４１から出力される制御電圧は、フィルタ２６、２８の同調回路に供給され（図示せず）、同調周波数を可変してもよい。
【００８２】
次に、選局制御部１２４の構成について説明する。選局制御部１２４は、利得制御器１３６、１３７からそれぞれ出力されるＡＧＣ電圧が入力１５５ａ、１５５ｂを介してそれぞれ入力されているＡＧＣ電圧判定器１５５と、このＡＧＣ電圧判定器１５５の出力１５５ｃとＢＥＲ判定器５４の出力が、入力５６ａ、５６ｂにそれぞれ入力された選局制御器５６と、この選局制御器５６の入力５６ｃに接続されたメモリ５７とから構成されている。なお、ＡＧＣ電圧判定器１５５は、チューナ１２２に内蔵してもよい。
【００８３】
そして、ＡＧＣ電圧判定器１５５の入力１５５ｄ、１５５ｅには、入力端子１２４ａ、１２４ｂがそれぞれ接続されている。これら入力端子１２４ａ、１２４ｂには、利得制御器１３６、１３７からのＡＧＣ電圧を判定するための基準電圧を入力できる。
【００８４】
また、選局制御器５６の入力端子５６ｄには、選局命令を入力できるキーボード５９が接続されている。
【００８５】
以上のように構成された高周波受信装置１２１の動作について、図４を用いて説明する。最初に、チューナ２２の動作について説明する。アンテナ２５の受信信号は、チューナ入力端子１２２ａを介してフィルタ２６に入力される。このフィルタ２６からの出力信号は、ＡＧＣ増幅器２７により増幅された後、フィルタ２８に入力される。
【００８６】
なお、これらフィルタ２６、２８は、例えばバリキャップダイオードを用いて容量値を可変し、希望するチャンネル信号を選択してもよい。
【００８７】
さらに、フィルタ２８の出力信号は、混合器２９の一方の入力に供給される。他方の入力にはＰＬＬ回路１４１で制御された発振器３８の出力信号が供給されているので、混合器２９からは周波数変換された第１の中間周波数信号（例えば１２５０ＭＨｚ）が出力される。
【００８８】
この第１の中間周波数信号は利得制御器３０に入力される。この利得制御器３０から出力されるＡＧＣ電圧によりＡＧＣ増幅器２７は、混合器２９の出力信号レベルが一定値になるように動作する。
【００８９】
さらに、この第１の中間周波数信号は、フィルタ１３１に入力される。このフィルタ１３１では、希望する１セグメントあるいは３セグメント以外の信号が抑圧される。
【００９０】
なお、フィルタ１３１の通過帯域幅を略４ＭＨｚ（中心周波数８１ｄから映像搬送波８１ａまでの周波数の２倍）以上に大きくした場合には、フィルタ１３１の出力信号を利得制御器３０に入力してもよい。この場合には、フィルタ１３１により映像搬送波８１ａが減衰しないので、ＡＧＣ増幅器２７は映像搬送波８１ａにより利得制御される。従って、フィルタ１３１からの出力信号を利得制御器３０に入力した場合のＡＧＣ電圧は、ＡＧＣ電圧１８３と同じとなる。
【００９１】
このフィルタ１３１からの出力信号は、ＡＧＣ増幅器１３２に入力され、利得制御器１３６から出力されるＡＧＣ電圧によりＡＧＣ増幅器１３５からの出力信号レベルが一定値になるように動作する。
【００９２】
さらに、このＡＧＣ増幅器１３２からの出力信号は、混合器１３３の一方の入力に供給される。他方の入力にはＰＬＬ回路１４１で制御された発振器１３９の出力信号が供給されているので、混合器１３３からは低い周波数に変換された第２の中間周波数信号（例えば２ＭＨｚ）が出力される。
【００９３】
この第２の中間周波数信号は、フィルタ１３４に入力される。このフィルタ１３４では、希望する１セグメントあるいは３セグメント以外の信号がさらに抑圧される。
【００９４】
このフィルタ１３４から出力される信号は、ＡＧＣ増幅器１３５に入力される。このＡＧＣ増幅器１３５は、利得制御器１３７から出力されるＡＧＣ電圧によりＡＧＣ増幅器１３５からの出力信号レベルが一定値になるように利得制御される。
【００９５】
また、選局制御器５６の出力５６ｅからのＰＬＬ制御データは、ＰＬＬ回路１４１の入力に供給されている。このＰＬＬ回路１４１から出力されるそれぞれの制御電圧により発振器３８、１３９の発振周波数が決定される。これにより、混合器２９では希望チャンネルが選局され、混合器１３３では希望チャンネルの中の１セグメントあるいは３セグメントの信号を選択することができる。
【００９６】
以上のように、チューナ入力端子１２２ａに入力されたデジタル放送信号は、ＡＧＣ増幅器２７、１３２、１３５において利得制御が行われるとともに、混合器２９、１３３により周波数変換され、フィルタ２６、２８、１３１、１３４により妨害信号が十分に抑圧される。そして、チューナ出力端子１２２ｂからは、希望する１セグメントあるいは３セグメントの信号が出力される。このチューナ出力端子１２２ｂからの信号が復調部２３に入力される。この復調部２３の出力端子２３ｂからは、復調信号が出力される。
【００９７】
次に、選局制御部１２４の動作について説明する。キーボード５９から選局サーチの命令データが選局制御器５６に入力される。このキーボード５９から選局サーチの命令データに基づいて、選局制御器５６の出力５６ｅから選局制御信号が出力される。この選局制御信号が送られたＰＬＬ回路１４１により、発振器３８、１３９の発振周波数が決定される。これにより、例えば低いチャンネルから高いチャンネルに選局されて、希望する１セグメントあるいは３セグメントが順番に選局される。なお、ＡＧＣ電圧判定器１５５は、チューナ１２２に内蔵してもよい。
【００９８】
このように、受信チャンネルが選局されると、ＡＧＣ電圧判定器１５５では利得制御器１３６、１３７からのＡＧＣ電圧が予め定められた基準電圧と比較され、デジタル信号か否かの判定が行われる。このＡＧＣ電圧判定器１５５では、ＡＧＣ電圧と基準電圧との電圧の比較が行われるので、瞬時の判定が可能となる。そして、このＡＧＣ電圧判定器１５５からの判定信号が選局制御器５６に入力されることにより、デジタル放送の受信チャンネルがメモリ５７に書き込まれる。
【００９９】
この選局制御部１２４の信号判定の動作について、図２（ａ）、図２（ｂ）、図５（ａ）、図５（ｂ）を用いて説明する。
【０１００】
図５（ａ）は、ＡＧＣ増幅器２７、１３２、１３５のデジタル信号レベルに対するＡＧＣ電圧の図である。図５（ａ）において、７１は、チューナ入力端子１２２ａへのデジタル信号レベルである。
【０１０１】
図５（ａ）において、１７３は、ＡＧＣ増幅器２７のデジタル信号レベルに対するそれぞれのＡＧＣ電圧である。
【０１０２】
なお、ＡＧＣ増幅器２７の利得制御範囲は、０〜−６０ｄＢｍ（チューナ入力端子１２２ａにおける信号レベルとして）とし、ＡＧＣ電圧１７３が大きい場合を利得最大としている。
【０１０３】
このＡＧＣ電圧１７３は、−６０Ｂｍ（位置１７３ａ）以下では変化せず、−６０ｄＢｍ（位置１７３ａ）以上において変化している。このＡＧＣ電圧１７３の電圧変化によりＡＧＣ増幅器２７の利得制御が行われている。
【０１０４】
そして、ＡＧＣ電圧１７３は、混合器２９から出力される１３セグメントの信号レベルが利得制御器３０に入力されて作成されている。つまり、利得制御器３０に入力される１３セグメントの信号レベルの大きさに応じてＡＧＣ電圧１７３が変化している。
【０１０５】
図５（ａ）において、１７４は、ＡＧＣ増幅器１３２のデジタル信号レベルに対するそれぞれのＡＧＣ電圧である。
【０１０６】
なお、ＡＧＣ増幅器１３２の利得制御範囲は、−６０ｄＢｍ〜−９０ｄＢｍ（チューナ入力端子１２２ａにおける信号レベルとして）とし、ＡＧＣ電圧１７４が小さい場合を利得最大としている。
【０１０７】
このＡＧＣ電圧１７４は、−９０ｄＢｍ（位置１７４ａ）から−６０Ｂｍ（位置１７４ｂ）の信号レベル内において、変化部１７４ｃを有している。この変化部１７４ｃにより、ＡＧＣ増幅器１３２の利得制御が行われている。
【０１０８】
そして、ＡＧＣ電圧１７４は、ＡＧＣ増幅器１３５から出力される１セグメントあるいは３セグメントの信号レベルが利得制御器１３６に入力されて作成されている。つまり、利得制御器１３６に入力される１セグメントあるいは３セグメントの信号レベルの大きさに応じてＡＧＣ電圧１７４が変化している。
【０１０９】
図５（ａ）において、１７５は、ＡＧＣ増幅器１３５のデジタル信号レベルに対するそれぞれのＡＧＣ電圧である。
【０１１０】
なお、ＡＧＣ増幅器１３５の利得制御範囲は、−９０ｄＢｍ以下（チューナ入力端子１２２ａにおける信号レベルとして）とし、ＡＧＣ電圧１７５が小さい場合を利得最大としている。
【０１１１】
このＡＧＣ電圧１７５は、−１００ｄＢｍ（位置１７５ａ）から−９０ｄＢｍ（位置１７５ｂ）の信号レベル内において、変化部１７５ｃを有している。この変化部１７５ｃにより、ＡＧＣ増幅器１３５の利得制御が行われている。
【０１１２】
そして、ＡＧＣ電圧１７５は、ＡＧＣ増幅器１３５から出力される１セグメントあるいは３セグメントの信号レベルが利得制御器１３７に入力されて作成されている。つまり、利得制御器１３７に入力される１セグメントあるいは３セグメントの信号レベルの大きさに応じてＡＧＣ電圧１７５が変化している。
【０１１３】
このようにして、チューナ入力端子１２２ａへのデジタル信号レベルの大きさに応じて、ＡＧＣ増幅器１３５、１３２、２７の順に利得制御の動作が行われる。これにより、チューナ出力端子１２２ｂからの出力信号レベルと、特に歪が発生しやすい混合器２９、１３３への入力信号レベルを最適化し、チューナ１２２および復調部２３における歪による妨害特性と雑音特性の両立を実現している。
【０１１４】
図５（ｂ）は、ＡＧＣ増幅器２７、１３２、１３５のアナログ信号レベルに対するＡＧＣ電圧の図である。なお、図５（ｂ）で使用した符号について、図５（ａ）と同じものについては同一の番号を付して説明を簡略化している。
【０１１５】
図５（ｂ）において、１８３、１８４、１８５は、ＡＧＣ増幅器２７、１３２、１３５のアナログ信号レベルに対するそれぞれのＡＧＣ電圧である。
【０１１６】
ＡＧＣ電圧１８３は、−６０Ｂｍ（位置１８３ａ）の信号レベル以上において変化している。このＡＧＣ電圧１８３の電圧変化により、ＡＧＣ増幅器２７の利得制御が行われている。
【０１１７】
このＡＧＣ電圧１８３は、混合器２９から出力されるアナログ信号レベルが利得制御器３０に入力されて作成されている。つまり、利得制御器３０に入力されるアナログ信号の中で最も大きいレベルである映像搬送波８１ａの大きさに応じてＡＧＣ電圧１８３が変化する。このデジタル信号とアナログ信号の映像搬送波８１ａのレベルを同じとしているので、ＡＧＣ電圧１７３と１８３はほぼ同じ特性となる。
【０１１８】
次にＡＧＣ増幅器１３５のＡＧＣ電圧１８５について説明する。このＡＧＣ電圧１８５は、−７０ｄＢｍ（位置１８５ａ）から−５０ｄＢｍ（位置１８５ｂ）の信号レベル内において、変化部１８５ｃを有している。つまり、変化部１８５ｃの範囲内でＡＧＣ増幅器１３５の利得制御が行われている。
【０１１９】
このＡＧＣ電圧１８５は、アナログ信号レベルがフィルタ１３１、１３４により帯域制限された１セグメントあるいは３セグメントの信号が利得制御器１３７に入力されて作成されている。例えば、１セグメント受信用チューナでは、フィルタ３１、３１ａの帯域幅は、４２９ｋＨｚ（１セグメントの帯域幅に相当）となる。
【０１２０】
これらフィルタ１３１、１３４から出力される信号は、中心周波数８１ｄを中心とした帯域幅４２９ｋＨｚの斜線部８１ｅとなる。この斜線部８１ｅの信号は、映像搬送波８１ａより、レベル差８２で示されるように３５ｄＢから４０ｄＢ小さいレベルとなってしまう。
【０１２１】
このため、アナログ信号の場合の利得制御器１３６、１３７への入力信号レベルは、デジタル信号に比べて、３５ｄＢから４０ｄＢ小さいレベルが供給される。従って、ＡＧＣ電圧１８５の変化部１８５ｃは、ＡＧＣ電圧１７５の変化部１７５ｃに比べて、３５ｄＢから４０ｄＢ大きな信号レベルの方に（図５（ｂ）では右方向に）移動することになる。
【０１２２】
そして、−６０ｄＢｍ（位置１８５ｂ）より大きな信号レベルが入力された場合には、ＡＧＣ増幅器２７のＡＧＣ電圧１８３が変化する。このため、ＡＧＣ増幅器３２への入力レベルが大きくならず、ＡＧＣ電圧１８５は一定値となる。
【０１２３】
次に、ＡＧＣ増幅器１３２のＡＧＣ電圧１８４について説明する。このＡＧＣ電圧１８４は、−１００ｄＢｍから０ｄＢｍ（位置１８５ｂ）の信号レベル内において、利得最大値となっている。これは、アナログ信号の中心周波数８１ｄのレベルが、デジタル信号に比べて３５ｄＢから４０ｄＢ小さいため、ＡＧＣ電圧１７４の変化部１７４ｃは、３５ｄＢから４０ｄＢ大きな信号レベルの方に（図５（ｂ）では右方向に）移動することになる。
【０１２４】
ところが、−６０ｄＢｍ（位置１８３ａ）より大きな信号レベルが入力された場合には、ＡＧＣ増幅器２７のＡＧＣ電圧１８３が変化する。このため、ＡＧＣ増幅器３２への入力レベルが大きくならず、ＡＧＣ電圧１８４は一定値となるのである。
【０１２５】
このように、デジタル信号におけるＡＧＣ電圧１７４とアナログ信号におけるＡＧＣ電圧１８４は、−９０ｄＢｍ以上の入力信号レベルにおいて電圧差が生じる。また、−９０ｄＢｍ以下の入力信号レベルでは、デジタル信号におけるＡＧＣ電圧１７５とアナログ信号におけるＡＧＣ電圧１８５において電圧差が生じる。
【０１２６】
次に、ＡＧＣ電圧判定器１５５の動作について説明する。このＡＧＣ電圧判定器１５５の入力１５５ａには、利得制御器１３６からのＡＧＣ電圧１７４または１８４が入力される。また、ＡＧＣ電圧判定器１５５の入力１５５ｂには、利得制御器１３７からのＡＧＣ電圧１７５または１８５が入力される。これら利得制御器１３６、１３７からのＡＧＣ電圧は、予め設定されたそれぞれの基準電圧１９０、１９１と比較され、それぞれ判定される。
【０１２７】
例えば、ＡＧＣ電圧判定器１５５の入力１５５ａには、デジタル信号の場合にはＡＧＣ電圧１７４が入力され、アナログ信号の場合にはＡＧＣ電圧１８４が入力される。このＡＧＣ電圧１７４と１８４の電圧値の違いより、略−９０ｄＢｍ以上の入力レベルにおけるデジタル信号か否かを判定できる。
【０１２８】
例えば、基準電圧１９０を０．３Ｖとする。デジタル信号では、ＡＧＣ電圧１７４となり、アナログ信号ではＡＧＣ電圧１８４であるので、基準電圧１９０の０．３Ｖとの比較をすることにより判定が可能となる。
【０１２９】
ところが、デジタル信号であって−９０ｄＢｍ（位置１７４ａ）以下の場合には、ＡＧＣ電圧１７４が基準電圧１９０の０．３Ｖ以下となるので判定できない。この場合には、基準電圧１９１を１．８Ｖとする。デジタル信号では、ＡＧＣ電圧１７５となり、アナログ信号ではＡＧＣ電圧１８５となるので、基準電圧１９０の１．８Ｖとの比較をすることにより判定が可能となる。
【０１３０】
なお、これら基準電圧１９０、１９１の設定は、入力端子１２４ａ、１２４ｂにより任意に設定できるので、ＡＧＣ電圧判定器１５５の判定精度を向上できる。
【０１３１】
そして、ＡＧＣ電圧判定器１５５の出力１５５ｃから判定信号が出力されて、選局制御器５６の入力５６ａに入力される。さらに、デジタル放送の受信チャンネルがメモリ５７に書き込まれる。
【０１３２】
なお、ＡＧＣ電圧判定器１５５へのＡＧＣ電圧として、利得制御器１３６からのＡＧＣ電圧のみを用いてもよい。この場合、デジタル信号として通常使用される−９０ｄＢｍ以上の入力信号レベルが検出される。これにより、通常使用される入力信号レベルを判定できるので、選局制御器５６を用いた選局サーチをより短時間で完了できる。
【０１３３】
以上のように、例えアナログ放送信号とデジタル信号が混在していたとしても、ＡＧＣ電圧判定器１５５が、利得制御器１３６、１３７からのＡＧＣ電圧と予め定められた基準電圧との比較判定を行い、デジタル信号か否かの判定を行うものである。
【０１３４】
このように、ＡＧＣ電圧を用いて電圧判定を行うので、短時間に選局サーチを完了できる。従って、デジタル放送の受信可能なチャンネルの中から視聴したいチャンネルを容易に選択することができる。
【０１３５】
なお、ＡＧＣ電圧判定器１５５から出力されるデジタル信号の判定信号によりデジタル放送チャンネルが把握できるが、さらにＢＥＲ検出器５２からのＢＥＲ信号をＢＥＲ判定器５４によりデジタル信号か否かの検出をしてもよい。これにより、ＡＧＣ電圧判定器１５５だけでなく、ＢＥＲ判定器５４を共に用いるので、デジタル信号か否かの精度を向上できる。
【０１３６】
さらに、ＢＥＲ検出器５２、ＢＥＲ判定器５４の代わりにＣ／Ｎ検出器、Ｃ／Ｎ判定器（図示せず）を用いてもよい。このようにＣ／Ｎ信号を用いた場合には、ＢＥＲ信号を用いた場合に比べて、より短時間に選局サーチを完了できる。
【０１３７】
さらになお、利得制御器１３６、１３７への入力は、デジタルフィルタ４３からの出力信号を供給してもよい。この場合には、例えば隣接信号等の妨害信号が、デジタルフィルタ４３により十分に抑圧されるので、妨害信号等による影響がなくなるので、選局サーチの精度が向上する。
【０１３８】
なお、この高周波受信装置１２１を用いれば、アナログ放送信号を検出することが可能となる。すなわち、図２（ａ）（ｂ）のアナログ放送信号とデジタル放送信号の違いにより、図５（ａ）（ｂ）におけるＡＧＣ電圧の差が生じるので、デジタル放送信号の判定と同様にアナログ放送信号の判定が可能となる。
【０１３９】
（実施の形態３）
以下、本実施の形態について、図６を用いて説明する。図６は、本実施の形態におけるデジタル放送の１セグメントを受信する高周波受信装置２２１のブロック図である。実施の形態２の高周波受信装置１２１では、混合器１３３を周波数の変換器としているのに対して、実施の形態３の高周波受信装置２２１では、ダイレクトコンバージョンとした混合器２３３ａ、２３３ｂを用いている点で異なる。なお、図６で使用した部品について、図２と同じものについては同一の番号を付して説明を簡略化している。
【０１４０】
図６において、高周波受信装置２２１は、チューナ２２２と、このチューナ２２２の出力が接続された復調部２２３と、チューナ２２２、復調部２２３を制御する選局制御部１２４から構成されている。
【０１４１】
チューナ２２２には、アンテナ２５が接続されるチューナ入力端子２２２ａと出力信号が出力されるチューナ出力端子２２２ｂ、２２２ｃとが設けられている。また、混合器２３３ａ、２３３ｂの一方の入力にはＡＧＣ増幅器１３２の出力が接続されている。他方の入力には、発振器１３９からの発振信号が移相器２３３ｃにより互いに９０度の位相差を持たせてそれぞれ入力されている。これにより、混合器２３３ａ、２３３ｂの出力からは、互いに９０度の位相差のあるＩ信号、Ｑ信号がそれぞれ出力される。
【０１４２】
これら混合器２３３ａ、２３３ｂの出力は、希望する１セグメントあるいは３セグメントの信号を通過させるフィルタ２３４ａ、２３４ｂにそれぞれ接続される。これらフィルタ２３４ａ、２３４ｂには、例えばローパスフィルタを用いることができる。
【０１４３】
これらフィルタ２３４ａ、２３４ｂの出力は、利得制御入力２３５ｃ、２３５ｄによりそれぞれ利得制御の可能なＡＧＣ増幅器２３５ａ、２３５ｂにそれぞれ接続される。また、ＡＧＣ増幅器２３５ａ、２３５ｂのいずれか一方の出力は、利得制御器２３６、２３７の入力に接続されている。この利得制御器２３６から出力されるＡＧＣ電圧は、利得制御入力１３２ａに入力されている。さらに、利得制御器２３７から出力されるＡＧＣ電圧は、利得制御入力２３５ｃ、２３５ｄにそれぞれ入力されている。
【０１４４】
これらＡＧＣ増幅器２３５ａ、２３５ｂの出力は、チューナ出力端子２２２ｂ、２２２ｃをそれぞれ介して、復調部２２３の入力端子２２３ａ、２２３ｂにそれぞれ接続されている。
【０１４５】
これら入力端子２２３ａ、２２３ｂはアナログ信号をデジタル信号に変換するＡ／Ｄコンバータ２４２ａ、２４２ｂの入力にそれぞれ接続されている。これらＡ／Ｄコンバータ２４２ａ、２４２ｂの出力は、デジタルフィルタ２４３ａ、２４３ｂの入力にそれぞれ接続されている。これらデジタルフィルタ２４３ａ、２４３ｂの出力は、復調器１４４の入力にそれぞれ接続されている。
【０１４６】
さらに、利得制御器２３６、２３７から出力されるＡＧＣ電圧は、ＡＧＣ電圧判定器１５５の入力１５５ａ、１５５ｂにそれぞれ入力されている。
【０１４７】
以上のように構成された高周波受信装置２２１の動作について説明する。チューナ２２２では、チューナ入力端子２２２ａに入力された受信信号は、ＡＧＣ増幅器２７、１３２、２３５ａ、２３５ｂにより利得制御が行われるとともに、混合器２９、２３３ａ、２３３ｂにより周波数変換され、フィルタ２６、２８により受信チャンネル以外の信号が抑圧され、フィルタ１３１、２３４ａ、２３４ｂにより希望する１セグメントあるいは３セグメント以外の妨害信号が十分に抑圧される。そして、チューナ出力端子２２２ｂ、２２２ｃからは、受信チャンネルの中の１セグメントあるいは３セグメントを有するＩ、Ｑ信号がそれぞれ出力される。
【０１４８】
これらチューナ出力端子２２２ｂ、２２２ｃからの信号は、復調部２２３のＡ／Ｄコンバータ２４２ａ、２４２ｂにそれぞれ入力される。このＡ／Ｄコンバータ２４２ａ、２４２ｂからそれぞれ出力されるデジタル信号は、デジタルフィルタ２４３ａ、２４３ｂに入力される。これらデジタルフィルタ２４３ａ、２４３ｂからのデジタル信号は、復調器１４４にそれぞれ入力される。この復調器１４４から出力されるデジタル復調信号は、誤り訂正器４５、復号器４６により、ＴＳ（トランスポートストリーム）信号とされる。そして、このＴＳ信号は、出力端子２２３ｃから出力される。
【０１４９】
そして、利得制御器２３６、２３７から出力されるＡＧＣ電圧は、ＡＧＣ電圧判定器１５５の入力１５５ａ、１５５ｂにそれぞれ入力され、ＡＧＣ電圧判定器１５５によりデジタル信号か否かの判定が行われる。
【０１５０】
このＡＧＣ電圧判定器１５５からの判定信号は、選局制御器５６に送られる。この選局制御器５６では選局サーチの動作が行われ、デジタル信号の受信チャンネルがメモリ５７に記録される。
【０１５１】
このように、高周波受信装置２２１の実際の動作は、図２（ａ）、図２（ｂ）、図５（ａ）、図５（ｂ）を用いて説明した実施の形態２と同様とできる。
【０１５２】
以上のように、例えアナログ放送信号とデジタル信号が混在していたとしても、ＡＧＣ電圧判定器１５５が、利得制御器２３６、２３７からのＡＧＣ電圧と予め定められた基準電圧との比較判定を行い、デジタル信号か否かの判定を行うものである。
【０１５３】
このように、ＡＧＣ電圧を用いて電圧判定を行うので、短時間に選局サーチを完了できる。従って、デジタル放送の受信可能なチャンネルの中から視聴したいチャンネルを容易に選択することができる。
【０１５４】
さらに、混合器２３３ａ、２３３ｂをダイレクトコンバージョンとして用いているので、混合器２３３ａ、２３３ｂ以降のＩ、Ｑ信号は低周波信号となる。つまり、低周波での信号処理とできるので、集積回路化が容易となる。また、他の信号との干渉が発生しにくい。
【０１５５】
なお、ＡＧＣ電圧判定器１５５へのＡＧＣ電圧として、利得制御器２３６からのＡＧＣ電圧のみを用いてもよい。この場合、デジタル信号として通常使用される−９０ｄＢｍ以上の入力信号レベルが検出される。従って、実用上よく受信される入力信号レベルを判定できる。また、ＡＧＣ電圧判定器１５５による選局サーチをより短時間で完了できる。
【０１５６】
さらに、利得制御器２３６、２３７への入力は、デジタルフィルタ２４３ａまたは２４３ｂからの出力信号を供給してもよい。この場合には、例えば隣接信号等の妨害信号が、デジタルフィルタ２４３ａ、２４３ｂにより十分に抑圧されるので、妨害信号等による影響がなくなるので、選局サーチの精度が向上する。
【０１５７】
さらになお、この高周波受信装置２２１を用いれば、アナログ放送信号を検出することが可能となる。すなわち、図２（ａ）、図２（ｂ）のアナログ放送信号とデジタル放送信号の違いにより、図５（ａ）、図５（ｂ）におけるＡＧＣ電圧の差が生じるので、デジタル放送信号の判定と同様にアナログ放送信号の判定が可能となる。
【０１５８】
（実施の形態４）
以下、本実施の形態について、図７を用いて説明する。図７は、本実施の形態におけるデジタル放送の１セグメントを受信する高周波受信装置３２１のブロック図である。実施の形態２の高周波受信装置１２１では、混合器２９を周波数の変換器としているのに対して、本実施の形態の高周波受信装置３２１では、混合器３２９ａ、３２９ｂを用いてダイレクトコンバージョンとし、さらに混合器１３３を削除している点で異なる。なお、図７で使用した部品について、図４と同じものについては同一の番号を付して説明を簡略化している。
【０１５９】
図７において、高周波受信装置３２１は、チューナ３２２と、このチューナ３２２の出力が接続された復調部２３と、チューナ３２２、復調部２３を制御する選局制御部１２４から構成されている。
【０１６０】
チューナ３２２には、アンテナ２５が接続されたチューナ入力端子３２２ａと、出力信号が出力されるチューナ出力端子３２２ｂとが設けられている。また、チューナ３２２では、ダイレクトコンバージョンとした混合器３２９ａ、３２９ｂが用いられている。これら混合器３２９ａ、３２９ｂの一方の入力にはフィルタ２８の出力が接続されている。他方の入力には、発振器３８からの発振信号が移相器３２９ｃにより互いに９０度の位相差を持たせてそれぞれ入力されている。
【０１６１】
この混合器３２９ａ、３２９ｂからは例えば１セグメントでは５００ｋＨｚ、あるいは３セグメントでは１．５ＭＨｚの中間周波数の信号が出力される。これら２つの中間周波数の信号はフィルタ３３１に入力される。このフィルタ３３１では、９０度位相が進んでいる一方の中間周波数の信号を９０度遅らせて、他方の中間周波数の信号と合成する。これにより、イメージ信号を位相キャンセルし、イメージ信号を除去できる。なお、フィルタ３３１には、例えばポリフェーズフィルタを用いることができる。
【０１６２】
そして、フィルタ３３１の出力は、例えばローパスフィルタとしたフィルタ３３１ａの入力に接続される。このフィルタ３３１ａにより、１セグメントあるいは３セグメントからなる希望信号が通過し、妨害信号が抑圧される。
【０１６３】
また、混合器３２９ａ、３２９ｂのいずれか一方の出力は、利得制御器３０の入力に接続されている。この利得制御器３０から出力されるＡＧＣ電圧は、ＡＧＣ増幅器２７の利得制御入力２７ａに入力されている。
【０１６４】
そして、フィルタ３３１ａの出力は、利得制御入力３３２ａにより利得制御の可能なＡＧＣ増幅器３３２に入力される。このＡＧＣ増幅器３３２の出力は、例えばローパスフィルタとすることにより１セグメントあるいは３セグメント以外の妨害信号を抑圧できるフィルタ３３４に入力される。
【０１６５】
このフィルタ３３４の出力は、利得制御入力３３５ａにより利得制御の可能なＡＧＣ増幅器３３５に入力される。このＡＧＣ増幅器３３５の出力は、利得制御器３３６、３３７に入力されている。これら利得制御器３３６、３３７から出力されるＡＧＣ電圧は、ＡＧＣ増幅器３３２、３３５の利得制御入力３３２ａ、３３５ａにそれぞれ入力されている。そして、ＡＧＣ増幅器３３５の出力は、チューナ出力端子３２２ｂを介して復調部２３の入力端子２３ａに入力されている。
【０１６６】
以上のように構成された高周波受信装置３２１の動作について説明する。チューナ３２２では、チューナ入力端子３２２ａに入力された受信信号は、ＡＧＣ増幅器２７、３３２、３３５において利得制御が行われるとともに、混合器３２９ａ、３２９ｂにより低い周波数に周波数変換され、フィルタ２６、２８により受信チャンネル以外の信号が抑圧され、フィルタ３３１ａ、３３４により希望する１セグメントあるいは３セグメント以外の妨害信号が十分に抑圧される。
【０１６７】
そして、チューナ出力端子３２２ｂからは、受信チャンネルの中の１セグメントあるいは３セグメントを有する５００ｋＨｚあるいは１．５ＭＨｚの信号が出力される。
【０１６８】
次に、このチューナ出力端子３２２ｂからの信号は、復調部２３により信号処理される。そして、出力端子２３ｂからＴＳ信号が出力される。
【０１６９】
このようにして、チューナ３２２および復調部２３の動作が行われる高周波受信装置３２１であるが、この高周波受信装置３２１の動作の基本は、実施の形態２と同様である。
【０１７０】
従って、高周波受信装置３２１の動作は、図２（ａ）、図２（ｂ）、図５（ａ）、図５（ｂ）を用いて説明した実施の形態２と同様とできる。
【０１７１】
以上のように、例えアナログ放送信号とデジタル信号が混在していたとしても、ＡＧＣ電圧判定器１５５が、利得制御器３３６、３３７からのＡＧＣ電圧と予め定められた基準電圧との比較判定を行い、デジタル信号か否かの判定を行うものである。
【０１７２】
このように、ＡＧＣ電圧を用いて電圧判定を行うので、短時間に選局サーチを完了できる。従って、デジタル放送の受信可能なチャンネルの中から視聴したいチャンネルを容易に選択することができる。
【０１７３】
さらに、混合器３２９ａ、３２９ｂをダイレクトコンバージョンとしているので、これら混合器３２９ａ、３２９ｂ以降の周波数が、１セグメントでは例えば５００ｋＨｚの低周波信号となる。このように低周波での信号処理とできるので、集積回路化が容易となる。また、他の信号との干渉が発生しにくい。
【０１７４】
なお、ＡＧＣ電圧判定器１５５へのＡＧＣ電圧として、利得制御器３３６からのＡＧＣ電圧のみを用いてもよい。この場合、デジタル信号として通常使用される−９０ｄＢｍ以上の入力信号レベルが検出できる。従って、実用上よく受信される入力信号レベルを判定できる。また、ＡＧＣ電圧判定器１５５による選局サーチをより短時間で完了できる。
【０１７５】
さらに、利得制御器３３６、３３７への入力は、デジタルフィルタ４３からの出力信号を供給してもよい。この場合には、例えば隣接信号等の妨害信号が、デジタルフィルタ４３により十分に抑圧されるので、妨害信号等による影響がなくなるので、選局サーチの精度が向上する。
【０１７６】
さらになお、この高周波受信装置３２１を用いれば、アナログ放送信号を検出することが可能となる。すなわち、図２（ａ）、（ｂ）のアナログ放送信号とデジタル放送信号の違いにより、図５（ａ）、（ｂ）におけるＡＧＣ電圧の差が生じるので、デジタル放送信号の判定と同様にアナログ放送信号の判定が可能となる。
【産業上の利用可能性】
【０１７７】
本発明にかかるチューナとこれを用いた高周波受信装置は、デジタル放送の受信可能なチャンネルを短時間に選局サーチできるテレビ機能付き高周波受信装置として有用である。
【図面の簡単な説明】
【０１７８】
【図１】本発明の実施の形態１における高周波受信装置のブロック図
【図２】（ａ）は同、デジタル放送信号の図、（ｂ）は同、アナログ放送信号の図
【図３】（ａ）は同、デジタル信号レベルに対するＡＧＣ電圧の図、（ｂ）は同、アナログ信号レベルに対するＡＧＣ電圧の図
【図４】本発明の実施の形態２における高周波受信装置のブロック図
【図５】（ａ）は同、デジタル信号レベルに対するＡＧＣ電圧の図、（ｂ）は同、アナログ信号レベルに対するＡＧＣ電圧の図
【図６】本発明の実施の形態３における高周波受信装置のブロック図
【図７】本発明の実施の形態４における高周波受信装置のブロック図
【図８】従来の高周波受信装置のブロック図
【符号の説明】
【０１７９】
２２ａ  チューナ入力端子
２２ｂ  チューナ出力端子
２７  ＡＧＣ増幅器
２９  混合器
３０  利得制御器
３１  フィルタ
３２  ＡＧＣ増幅器
３６  利得制御器
３８  発振器
５５  ＡＧＣ電圧判定器
【図１】
2007158493.tif 000003
【図２】
2007158493.tif 000004
【図３】
2007158493.tif 000005
【図４】
2007158493.tif 000006
【図５】
2007158493.tif 000007
【図６】
2007158493.tif 000008
【図７】
2007158493.tif 000009
【図８】
2007158493.tif 000010